(57)【要約】【課題】  携帯電話器において、他の端末のユーザから楽曲データのプレゼントを受けた場合に、当該端末と、このプレゼントを受けた楽曲データとを迅速に対応付けられるようにする。【解決手段】  他の端末から楽曲データのプレゼントがあった場合には、その旨が電子メールとしてサーバから携帯電話器（提供先端末）に通知される。この電子メールには、提供元端末の端末特定情報（電話番号またはメールアドレス）が含まれている。ダウンロードが完了すると、該楽曲データは何れかの端末の端末特定情報に対応するものであるか否かが判定され（ＳＰ２）、対応する場合には、該端末に係る着信メロディとして当該楽曲データを関連付けるか否かが携帯電話器のユーザによって選択される（ＳＰ４，ＳＰ６）。そして、関連付ける場合には、端末特定情報と楽曲データとを対応付けるテーブルの内容が更新される（ＳＰ８）。【選択図】  図５
2006276383.tif 000002
【特許請求の範囲】
【請求項１】
複数の端末を各々特定する端末特定情報と、前記各端末に対応する楽曲データを指定する楽曲データ指定情報とを対応付けて成るテーブルを記憶手段に記憶するテーブル記憶過程と、
一の端末の端末特定情報と、該一の端末に係る楽曲データを特定する楽曲データ特定情報とを受信する特定情報受信過程と、
受信した前記楽曲データ特定情報に対応する楽曲データを前記記憶手段にダウンロードするダウンロード過程と、
受信した前記一の端末の端末特定情報と、ダウンロードされた前記楽曲データとを対応付けるように前記テーブルを自動的に更新するテーブル更新過程と、
を処理装置に実行させることを特徴とするプログラム。
【請求項２】
受信した前記一の端末の端末特定情報と、ダウンロードされた前記楽曲データとを対応付けるか否かをユーザの操作に基づいて選択する選択過程をさらに有し、
前記テーブル更新過程は該選択過程において対応付ける旨が選択されたことを条件として実行されることを特徴とする請求項１記載のプログラム。
【請求項３】
前記端末特定情報は、前記各端末の電話番号またはメールアドレスであることを特徴とする請求項１記載のプログラム。
【請求項４】
更新された前記テーブルは、対応付けられた前記楽曲データを、該楽曲データに対応付けられた端末の電話番号またはメールアドレスを発信元とする着信があった際の着信メロディとするための着信音設定テーブルであることを特徴とする請求項３記載のプログラム。
【請求項５】
複数の端末を各々特定する端末特定情報と、前記各端末に対応する楽曲データを指定する楽曲データ指定情報とを対応付けて成るテーブルを記憶する記憶手段と、
一の端末の端末特定情報と、該一の端末に係る楽曲データを特定する楽曲データ特定情報とを受信する特定情報受信手段と、
受信した前記楽曲データ特定情報に対応する楽曲データを前記記憶手段にダウンロードするダウンロード手段と、
受信した前記一の端末の端末特定情報と、ダウンロードされた前記楽曲データとを対応付けるように前記テーブルを自動的に更新するテーブル更新手段と
を有することを特徴とする通信端末。
【発明の詳細な説明】
【技術分野】
【０００１】
本発明は、携帯電話器等に用いて好適なプログラムおよび通信端末に関する。
【背景技術】
【０００２】
従来より携帯電話器においては、該携帯電話器に対して発信した発信元端末の電話番号と、楽曲データ（着信メロディ）とを対応付けることのできるものがあった。これにより、該携帯電話器のユーザは、発信元端末を着信メロディに応じて識別することができる。また、特許文献１には、着信メロディ等に使用される楽曲データを相手側端末にプレゼントする技術が開示されている。
【０００３】
【特許文献１】特開平２００３−１２２３７６号公報
【発明の開示】
【発明が解決しようとする課題】
【０００４】
しかし、上述した技術においては、あるユーザＡから他のユーザＢに対してプレゼントされた楽曲データをユーザＢがユーザＡに対して対応付けるためには、まずユーザＢの携帯電話器のアドレス帳においてユーザＡを探し出し、さらに複数の楽曲データの中からこのプレゼントされた楽曲データを探し出した上で両者を対応付ける操作を行う必要があり、ユーザＢの操作がきわめて煩雑であった。
この発明は上述した事情に鑑みてなされたものであり、発信元端末と楽曲データとの対応付けを迅速に実行できるプログラムおよび通信端末を提供することを目的としている。
【課題を解決するための手段】
【０００５】
上記課題を解決するため本発明にあっては、下記構成を具備することを特徴とする。なお、括弧内は例示である。
請求項１記載のプログラムにあっては、複数の端末を各々特定する端末特定情報（端末特定情報欄７２）と、前記各端末に対応する楽曲データを指定する楽曲データ指定情報（楽曲データ欄７４）とを対応付けて成るテーブル（７０）を記憶手段（４）に記憶するテーブル記憶過程と、一の端末の端末特定情報と、該一の端末に係る楽曲データを特定する楽曲データ特定情報（ダウンロードページのＵＲＬ）とを受信する特定情報受信過程（ＳＰ１１４）と、受信した前記楽曲データ特定情報に対応する楽曲データを前記記憶手段（４）にダウンロードするダウンロード過程（ＳＰ１２０）と、受信した前記一の端末の端末特定情報と、ダウンロードされた前記楽曲データとを対応付けるように前記テーブル（７０）を自動的に更新するテーブル更新過程（ＳＰ８）と、を処理装置に実行させることを特徴とする。
さらに、請求項２記載の構成にあっては、請求項１記載のプログラムにおいて、受信した前記一の端末の端末特定情報と、ダウンロードされた前記楽曲データとを対応付けるか否かをユーザの操作に基づいて選択する選択過程（ＳＰ４，ＳＰ６）をさらに有し、前記テーブル更新過程（ＳＰ８）は該選択過程において対応付ける旨が選択されたことを条件として実行されることを特徴とする。
さらに、請求項３記載の構成にあっては、請求項１記載のプログラムにおいて、前記端末特定情報は、前記各端末の電話番号またはメールアドレスであることを特徴とする。
さらに、請求項４記載の構成にあっては、請求項３記載のプログラムにおいて、更新された前記テーブル（７０）は、対応付けられた前記楽曲データを、該楽曲データに対応付けられた端末の電話番号またはメールアドレスを発信元とする着信があった際の着信メロディとするための着信音設定テーブルであることを特徴とする。
また、請求項５記載の通信端末にあっては、複数の端末を各々特定する端末特定情報（端末特定情報欄７２）と、前記各端末に対応する楽曲データを指定する楽曲データ指定情報（楽曲データ欄７４）とを対応付けて成るテーブル（７０）を記憶する記憶手段（４）と、一の端末の端末特定情報と、該一の端末に係る楽曲データを特定する楽曲データ特定情報（ダウンロードページのＵＲＬ）とを受信する特定情報受信手段（ＳＰ１１４）と、受信した前記楽曲データ特定情報に対応する楽曲データを前記記憶手段（４）にダウンロードするダウンロード手段（ＳＰ１２０）と、受信した前記一の端末の端末特定情報と、ダウンロードされた前記楽曲データとを対応付けるように前記テーブル（７０）を自動的に更新するテーブル更新手段（ＳＰ８）とを有することを特徴とする。
【発明の効果】
【０００６】
このように本発明によれば、受信した一の端末の端末特定情報と、ダウンロードされた楽曲データとを対応付けるように、テーブルを自動的に更新するから、楽曲データをダウンロードしたユーザの操作がきわめて簡易になり、対応付けの操作を迅速化することができる。
【発明を実施するための最良の形態】
【０００７】
1．実施例のハードウエア構成
次に、本発明の一実施例の通信システムの構成を図１を参照し説明する。
図において１１０は楽曲データサーバであり、携帯電話器に対して楽曲データの配信処理等を実行する。この楽曲データサーバ１１０は、かかる配信処理のため携帯電話器等によってアクセス可能なＷｅｂページを提供するＨＴＴＰサーバ（Ｗｅｂサーバ）および必要な情報を各ユーザに電子メールとして送信するメールサーバを兼ねている。１１２はユーザ情報サーバであり、各携帯電話器の電話番号や暗証番号等のユーザ情報を記憶する。１０２，１０４は携帯電話器であり、各々異なるユーザによって使用される。１００は通信網であり、上記各構成要素に対して音声信号、制御信号およびＩＰパケット等を伝送する。
【０００８】
次に、携帯電話器１０２の構成を図２を参照し説明する。
図２において２はＣＰＵであり、フラッシュメモリ４に記憶されたプログラムに基づいて、バス１２を介して携帯電話器１０２内の各部を制御する。６はＲＡＭであり、ＣＰＵ２のワークメモリとして使用される。８はディスプレイであり、ＣＰＵ２の制御の下、各種情報を表示する。１０はキー入力部であり、電話番号等のデータを入力する。２６は音源部であり、着信メロディ等の楽曲データ（ＭＩＤＩデータまたはＭＰ３データ）を再生して楽音信号を合成する。２８はサウンドシステムであり、合成された楽音信号を発音する。１８は電話通信部であり、マイク２０から入力された音声信号を符号化しアンテナ２４を介して出力するとともに、アンテナ２４を介して受信した符号化音声信号を復号化し、スピーカ２２を介して発音する。なお、携帯電話器１０４も携帯電話器１０２と同様に構成されている。
【０００９】
また、上記フラッシュメモリ４においては、着信メロディ等として使用される複数の楽曲データが記憶されるとともに、これら楽曲データと他の端末すなわち発信元端末とを関係付ける着信音設定テーブル７０（図６(a)参照）が記憶されている。図６(a)において７２は端末特定情報欄であり、発信元端末の電話番号またはメールアドレスが記録され、該端末特定情報欄７２毎に着信音設定テーブル７０のレコードが構成されている。７４は楽曲データ欄であり、これらレコード毎に、電話番号またはメールアドレスに各々対応する楽曲データのファイル名が記録されている。そして、電話通信部１８に着信があると、ＣＰＵ２は着信音設定テーブル７０を参照して、発信元端末の電話番号またはメールアドレスに対応する楽曲データに基づいて楽音信号（着信メロディ）を再生するように音源部２６に指示する。なお、端末特定情報欄７２において「その他」と記載されているレコードは、デフォルトの楽曲データを指定するレコードである。
【００１０】
次に、楽曲データサーバ１１０の構成を図３を参照し説明する。図において、３２はハードディスクであり、オペレーティングシステム、アプリケーションプログラム、楽曲データ等が格納される。３６は表示器であり、ユーザに対して各種情報を表示する。３８は入力装置であり、文字入力用キーボードおよびマウス等から構成されている。４８は通信インタフェースであり、通信網１００を介して他の機器との間でデータ通信を行う。５０はＣＰＵであり、バス４４を介して他の構成要素を制御する。５２はＲＯＭであり、楽曲データサーバ１１０のイニシャルプログラムローダ等が記憶されている。５４はＲＡＭであり、ＣＰＵ５０のワークメモリとして用いられる。なお、ユーザ情報サーバ１１２も楽曲データサーバ１１０と同様に構成され、そのハードディスクには各ユーザの識別番号（電話番号）等が記録されている。
【００１１】
2．実施例の動作
次に、本実施例の動作を図４を参照し説明する。
まず、携帯電話器１０２，１０４等のうち楽曲データを他の端末に提供しようとする携帯電話器を「提供元端末」といい、該楽曲データを受信しようとする携帯電話器を「提供先端末」という。
まず、提供元端末によって、楽曲データサーバ１１０の所定のＵＲＬアドレスにアクセスされる（ステップＳＰ１０２）。なお、当該ＵＲＬアドレスは、提供先端末に提供可能な楽曲データのリストを表示するＷｅｂページに係るものである。提供元端末が該Ｗｅｂページにアクセスする際に、提供元端末の電話番号が楽曲データサーバ１１０に通知されるから、楽曲データサーバ１１０においては該提供元端末のユーザが直ちに特定される。次に、該アクセスに対する応答として、ＷｅｂページのＨＴＭＬデータが楽曲データサーバ１１０から提供元端末に返信され、提供元端末のディスプレイ８においては該Ｗｅｂページの内容が表示される（ステップＳＰ１０４）。
【００１２】
ここで、提供元端末のユーザは、必要に応じてこれらの楽曲データを試聴することができる。そして、提供すべき楽曲データが決定すると、この楽曲データをリストの中から選択することができ、該楽曲データを提供する一または複数の提供先端末をこれらの電話番号またはメールアドレスによって指定することができる。そして、提供元端末において所定の確定操作が実行されると、提供しようとする楽曲データの識別番号と、一または複数の提供先端末の電話番号と、関連付ける通信方法（電話通信、電子メール等）とが楽曲データサーバ１１０に送信される（ステップＳＰ１０６）。なお、提供元端末のユーザは、通信方法として複数種類の方法を選択することもできる。次に、楽曲データサーバ１１０からユーザ情報サーバ１１２に対して、楽曲データの配信の申込があった旨が報告され、ユーザ情報サーバ１１２においては提供元端末のユーザに対して料金が課金される。また、この課金金額を通知するＨＴＭＬデータが提供元端末に対して送信され、該ＨＴＭＬデータに基づいて、課金金額を提供元端末のユーザに報知する画面が該提供元端末のディスプレイ８に表示される（ステップＳＰ１０８）。
【００１３】
次に、先に提供元端末によって指定された一または複数の提供先端末に対して、楽曲データサーバ１１０から電子メールが送信される（ステップＳＰ１１０）。ここで、該電子メールのタイトルには所定の文字列、例えば「＊＊着信メロディプレゼント＊＊」が必ず含まれていることとする。また、該電子メールの本文中においては、指定された楽曲データのダウンロードページのＵＲＬ（楽曲データサーバ１１０にアクセスする際のＵＲＬ）と、該楽曲データのファイル名と、該楽曲データのダウンロードが可能である旨を通知するメッセージと、提供元端末のユーザ名と、先に指定された通信方法に応じて提供元端末を特定する端末特定情報とが含まれている。本文中に含まれる端末特定情報は、上記ステップＳＰ１０６において選択された通信方法が「電話通信」であった場合には電話番号であり、通信方法が「電子メール」であった場合にはメールアドレスである。また、通信方法が複数指定された場合には、これら全ての通信方法に係る端末特定情報が電子メール内に含められることになる。
【００１４】
次に、提供先端末のユーザがこの電子メールを閲覧した後、該ダウンロードページのＵＲＬにアクセスすると（ステップＳＰ１１２）、楽曲データサーバ１１０からユーザ情報サーバ１１２に対して、該提供先端末に楽曲データのダウンロードが許可されているか否かが照会される。そして、許可されている旨の応答がユーザ情報サーバ１１２から楽曲データサーバ１１０に返信されると、楽曲データサーバ１１０においては、該提供先端末に対してダウンロードページのＨＴＭＬデータが送信される（ステップＳＰ１１４）。これにより、提供先端末のディスプレイ８には、ダウンロードページの内容が表示される。
【００１５】
ここで、提供先端末のユーザが該楽曲データの試聴を希望する場合には、ダウンロードページにおいて所定の試聴要求操作を行うと、試聴要求が楽曲データサーバ１１０に対して送信される（ステップＳＰ１１６）。ステップＳＰ１１８においては、これに対するレスポンスとして、楽曲データサーバ１１０から提供先端末に対して、試聴用データが送信される。この試聴用データを試聴した結果、提供先端末のユーザが楽曲データのダウンロードを希望する場合には、ダウンロードページにおいて所定のダウンロード操作を行うと、ダウンロード要求が楽曲データサーバ１１０に対して送信される（ステップＳＰ１２０）。ステップＳＰ１２２においては、これに対するレスポンスとして、楽曲データサーバ１１０から提供先端末に対して、楽曲データがダウンロードされる。なお、この楽曲データのダウンロードの費用については、既に提供元端末に対して課金されているため、提供先端末に対して課金はされない。
【００１６】
次に、楽曲データのダウンロードが完了すると、図５に示すデータ受信完了イベントルーチンが起動される。図において処理がステップＳＰ２に進むと、ダウンロードした楽曲データに提供元端末の端末特定情報が対応付けられているか否かが確認される。すなわち、ＲＡＭ６内に残存する受信済み電子メールの中から、所定の文字列（例えば「＊＊着信メロディプレゼント＊＊」）が含まれる電子メールが検索され、これらの本文中に上記ダウンロードした楽曲データのファイル名が検索される。ここで、当該楽曲データのファイル名が上述した電子メールのうち何れかの本文中に存在する場合は、該楽曲データは該電子メール内に記録されている端末特定情報に対応付けられているものとみなされる。一方、電子メールによらず、携帯電話器のユーザが自主的に楽曲データをダウンロードすることもあるため、かかる場合には楽曲データは何れの端末特定情報にも対応付けられないことになる。
【００１７】
ステップＳＰ２において「ＮＯ」と判定されると、本ルーチンは直ちに終了する。一方、ステップＳＰ２において「ＹＥＳ」と判定されると、処理はステップＳＰ４に進み、当該楽曲データを提供元端末の端末特定情報に対応付けるか否かを問い合わせるとともに、「ＹＥＳ」および「ＮＯ」の選択肢とがディスプレイ８に表示される。ここで、キー入力部１０において「ＹＥＳ」または「ＮＯ」に対応する操作が行われると、処理はステップＳＰ６に進み、何れの操作が行われたのか判定される。ここで、「ＮＯ」に対応する操作が行われた場合には、該楽曲データは端末特定情報に対応付けられることなく、本ルーチンの処理が直ちに終了する。一方、「ＹＥＳ」に対応する操作が行われると、処理はステップＳＰ８に進み、ダウンロードされた楽曲データに係る新たなレコードが着信音設定テーブル７０内に追加される。すなわち、当該レコードの端末特定情報欄７２には、先に電子メールに含まれていた端末特定情報が記録され、楽曲データ欄７４にはダウンロードした楽曲データのファイル名が記録されることになる。
【００１８】
また、上記電子メール内に複数の端末特定情報（例えば電話番号とメールアドレス）が含まれていた場合には、各端末特定情報毎にレコードが作成され、その各々の楽曲データ欄７４には上記楽曲データのファイル名が各々記録されることになる。このように、着信音設定テーブル７０において複数のレコードを作成する場合にも、これらのレコードを自動的に作成することができる。ここで、本ルーチンが実行される前の着信音設定テーブル７０が図６(a)に示す内容であって、端末特定情報として「提供元端末の電話番号」のみが指定され、本ルーチンのステップＳＰ８が実行された場合の着信音設定テーブル７０の内容の一例を図６(b)に示す。同図(b)においては、同図(a)のものと比較して、電話番号「0901212XXXX」と、これに対応する楽曲データのファイル名「harunouta.mmf」とが各々端末特定情報欄７２および楽曲データ欄７４に追加されていることが解る。なお、ステップＳＰ２またはＳＰ６において「ＮＯ」と判定された場合であっても、楽曲データそのものは提供先端末にダウンロードされているから、該楽曲データを目覚まし音等に流用できることは言うまでも無い。
【００１９】
ところで、楽曲データのダウンロードが完了した際に提供先端末においては上述したデータ受信完了イベントルーチン（図５）が実行されるのであるが、その前にこのルーチンに係るプログラムがフラッシュメモリ４に記憶されていなければ、提供先端末においては該ルーチンを実行することができない。そこで、上記ステップＳＰ１１４において楽曲データサーバ１１０から提供先端末に送信されるダウンロードページのＨＴＭＬデータの中に、提供先端末の機種に対応した「データ受信完了イベントルーチン」のプログラムのリンクも含めておき、提供先端末において必要に応じて該プログラムをダウンロードできるようにしておくとよい。
【００２０】
以上のように、本実施例によれば、ユーザ情報サーバ１１２から提供先端末に送信される電子メールには、提供元端末の電話番号あるいはメールアドレス等の端末特定情報が含まれているため、提供先端末のユーザは提供元端末の端末特定情報をアドレス帳から検索する必要がなく、提供元端末と楽曲データとの対応付けをきわめて迅速に行うことができる。
【００２１】
そして、本実施例のように楽曲データをユーザ間で交換することにより、楽曲データの新しい使い方と広がりを実現することができる。例えば、提供元端末のユーザは、自分のテーマ曲を決定して複数の提供先端末に楽曲データをプレゼントすることが考えられるため、同一の楽曲データを複数購入することになり、楽曲データの販売を促進することができる。また、自ら積極的に楽曲データをダウンロードしないユーザに対しても、他のユーザからのプレゼントを受けることにより、着信メロディのカスタマイズの面白さを啓蒙することができる。
【００２２】
3．変形例
本発明は上述した実施例に限定されるものではなく、例えば以下のように種々の変形が可能である。
(1)上記実施例においては、ＣＰＵ２上で動作するプログラムによって各種処理を実行したが、このプログラムのみをＣＤ−ＲＯＭ、フレキシブルディスク等の記録媒体に格納して頒布し、あるいは伝送路を通じて頒布することもできる。
【００２３】
(2)また、上記実施例においては、楽曲データの配信に係る課金は、提供元端末から指令を受けた際に該提供元端末に対して行われたが、課金の方法はこれに限定されるものではない。例えば、提供元端末ではなく提供先端末に対して課金するようにしてもよい。また、課金のタイミングは実際に提供先端末に楽曲データがダウンロードされたときにしてもよい。
【００２４】
(3)また、上記実施例においては、提供元端末の電話番号等の端末特定情報を電子メール内に含めたが、楽曲データの形式がこのような付随的な情報にも対応する場合には、楽曲データそのものに端末特定情報を含めるようにしてもよい。例えば、ＳＭＡＦ（Synthetic music Mobile Application Format）形式のデータであれば、楽曲そのものの内容とともに、様々なテキストデータを楽曲データに含めることができるため、これらによって端末特定情報を楽曲データ内に記述してもよい。
【００２５】
(4)また、上記実施例においては、楽曲データサーバ１１０とユーザ情報サーバ１１２とを別体のサーバとして構成したが、両サーバの機能を一台のサーバで実行してもよい。
【００２６】
(5)また、上記実施例においては、電子メール本文中に含まれる端末特定情報は提供元端末を特定するものであったが、これに限らず、提供元端末のユーザが指定する任意の電話番号またはメールアドレスであってもよい。
【図面の簡単な説明】
【００２７】
【図１】本発明の一実施例の通信システムのブロック図である。
【図２】携帯電話器１０２のブロック図である。
【図３】楽曲データサーバ１１０のブロック図である。
【図４】一実施例のシーケンス図である。
【図５】データ受信完了イベントルーチンのフローチャートである。
【図６】着信音設定テーブル７０の構成図である。
【符号の説明】
【００２８】
２：ＣＰＵ、４：フラッシュメモリ（記憶手段）、６：ＲＡＭ、８：ディスプレイ、１０：キー入力部、１２：バス、１８：電話通信部、２０：マイク、２２：スピーカ、２４：アンテナ、２６：音源部、２８：サウンドシステム、３２：ハードディスク、３６：表示器、３８：入力装置、４４：バス、４８：通信インタフェース、５０：ＣＰＵ、５２：ＲＯＭ、５４：ＲＡＭ、７０：着信音設定テーブル、７２：端末特定情報欄、７４：楽曲データ欄、１００：通信網、１０２，１０４：携帯電話器、１１０：楽曲データサーバ、１１２：ユーザ情報サーバ。
【図１】
2006276383.tif 000003
【図２】
2006276383.tif 000004
【図３】
2006276383.tif 000005
【図４】
2006276383.tif 000006
【図５】
2006276383.tif 000007
【図６】
2006276383.tif 000008